(57)【特許請求の範囲】
【請求項１】
横架状態に設けられた鋼管と、この鋼管の端面に固定された塞ぎ部材とを有し、前記塞ぎ部材が前記鋼管の端面を塞ぐ必要長さ以上に上方に長く形成され、当該長くされた領域が屋根下地材の取付領域を成し、前記鋼管の端部にはその軸芯方向に切込部が形成されており、前記塞ぎ部材には前記切込部に対応した切込部が形成されており、屋内側に突出するように柱の面に取り付けた取合プレートを前記両切込部に挿入させて当該取合プレートと鋼管と塞ぎ部材とが相互に固定され、前記長く形成された領域は前記取合プレートの上方に位置することを特徴とする鋼管端部と屋根下地材との接続構造。
【請求項２】
請求項１に記載の鋼管端部と屋根下地材との接続構造において、前記鋼管はトラス梁上弦材であることを特徴とする鋼管端部と屋根下地材との接続構造。
【請求項３】
請求項１又は請求項２に記載の鋼管端部と屋根下地材との接続構造において、前記塞ぎ部材は、前記鋼管の端面に取り付けられる面に対して、前記屋根下地材が取り付けられる面が屋外側に位置するように、非平板形状を成すことを特徴とする鋼管端部と屋根下地材との接続構造。
【発明の詳細な説明】
【０００１】
【産業上の利用分野】
この発明は、建物における屋根構造を成す鋼管端部と屋根下地材との接続構造に関する。
【０００２】
【従来の技術】
折版などの屋根材を用いる屋根構造においては、トラス梁上に束材を溶接により固定し、この束材にボルト等の締結具によって屋根下地材（母屋）を取り付けている。そして、この屋根下地材上にタイトフレームを溶接により固定し、このタイトフレーム上に折版を載せ置き、ボルト等の締結具によって固定している。折版の水下側におけるタイトフレームとの固定位置から折版の水下端までの距離は、強風による折版端部の煽りを極力回避する観点から、できるだけ短いことが望ましい。すなわち、屋根下地材はできるだけ折版の水下端側に近い位置に配置されるのが望ましい。
【０００３】
【発明が解決しようとする課題】
しかしながら、折版の水下端側の下方には、柱と梁との接続部分が位置しており、かかる箇所に束材を取り付けることは難しい。従って、束材は柱よりもかなり屋内側に入り込んだ位置に取り付けざるを得ず、この束材に固定される屋根下地材も折版の水下端側から遠い位置に配置されてしまう。
【０００４】
この発明は、上記の事情に鑑み、屋根下地材をできるだけ屋根材の水下端側に近い位置に配置することができる鋼管端部と屋根下地材との接続構造を提供することを目的とする。
【０００５】
【課題を解決するための手段】
この発明の鋼管端部と屋根下地材との接続構造は、上記の課題を解決するために、横架状態に設けられた鋼管と、この鋼管の端面に固定された塞ぎ部材とを有し、前記塞ぎ部材が前記鋼管の端面を塞ぐ必要長さ以上に上方に長く形成され、当該長くされた領域が屋根下地材の取付領域を成すことを特徴とする。
【０００６】
上記構成においては、塞ぎ部材を上方に延長して屋根下地材を取り付けるようにしたので、当該塞ぎ部材が束材としての役割を果たすことになり、別個に束材を設ける必要が無くなり、部品点数を削減することができる。また、鋼管の中途ではなく端面にて屋根下地材を支持することができるから、屋根下地材と屋根材との接続箇所から屋根材の水下端部までの距離を短くすることができ、強風にて屋根材が煽られるのを極力防止することができる。
【０００７】
前記鋼管はトラス梁上弦材として用いられる構造でもよい。また、前記鋼管の端部にはその軸芯方向に切込部が形成されており、前記塞ぎ部材には前記切込部に対応した切込部が形成されており、柱に取り付けた取合プレート（１枚板構成に限らず複数枚の板にて構成されていてもよい）を前記両切込部に挿入させて当該取合プレートと鋼管と塞ぎ部材とが相互に固定される構造としてもよい。また、塞ぎ部材は、前記鋼管の端面に取り付けられる面に対して、前記屋根下地材が取り付けられる面が屋外側に位置するように、非平板形状を成していてもよい。
【０００８】
【発明の実施の形態】
以下、この発明の実施形態を図１乃至図３に基づいて説明する。図１（ａ）は鋼管端部と屋根下地材との接続構造を示した平面図であり、同図（ｂ）は同側面図であり、図２（ａ）は同斜視図であり、図２（ｂ）は塞ぎプレートを示した斜視図であり、図３は変形例を示した斜視図であり、図４は他の変形例を示した斜視図である。
【０００９】
図１（ａ）（ｂ）において、角鋼管柱から成る柱１の屋内側の面に断面Ｔ字形状の支持板２がその平板部裏面を当接させて溶接により固定されており、この支持板２の凸片部に取合プレート（ガゼットプレート）３がその一部を重ね合わせた状態で締結具（ボルトとナット）４により固定されている。なお、支持板２と取合プレート３とを合わせて一つの取合プレートとして把握してもよい。取合プレート３にはトラス梁を構成する上弦材５と斜材（ラチス）６とが取り付けられている。下弦材は図示していない。
【００１０】
上弦材５は丸形の鋼管から成り、その端部には軸芯方向に切込部５ａが形成されており、この切込部５ａに取合プレート３を入れ込んで溶接することにより上弦材５と取合プレート３とを固定している。また、斜材６も丸形の鋼管から成っており、その端部には塞ぎプレート７が溶接により接合され、図２（ａ）の斜視図に示しているように、この塞ぎプレート７を二分するように軸芯方向に切込部６ａが形成され、この切込部６ａに取合プレート３を入れ込んで溶接することにより斜材６と取合プレート３とを固定している。
【００１１】
上弦材５の端面には塞ぎプレート８が溶接により接合されている。塞ぎプレート８の下部側には、図２（ｂ）の斜視図に示すように、切込部８ａ（切込部５ａに対応した幅や高さを有する）が形成され、この切込部８ａに取合プレート３を入れ込んでおり、溶接によって塞ぎプレート８は取合プレート３にも固定された状態になっている。塞ぎプレート８は、上弦材５の端面を塞ぐ必要長さ以上に上方に長く形成されており、この長くされた領域に屋根下地材である母屋（Ｃ形鋼等）９が取り付けられる。この実施形態では塞ぎプレート８の上端は前記柱１の上端面を少し越える程度としており（図１（ｂ）参照）、母屋９をできるだけ水下端部の低い位置に配置するようにしている。図１及び図２に示す例では、塞ぎプレート８の内側面および外側面の各々に母屋９を取り付けている。母屋９の取り付けは、当該母屋９の各々に設けた貫通穴と塞ぎプレート８に設けた貫通穴８ｂ，８ｂとを位置合わせし、締結具（ボルトとナット）で締結することにより行っている。
【００１２】
母屋９，９の上面には、帯状の金属板を折り曲げ加工して成るタイトフレーム１０が取り付けられている。タイトフレーム１０は母屋９，９を跨いでその各々に溶接されることで取り付けられている。なお、図の母屋９，９上のタイトフレーム１０が最も水下側に位置するタイトフレームとなる。
【００１３】
タイトフレーム１０上には屋根材である折版１１が載せられ、この折版１１とタイトフレーム１０とは、その山部において図示しないボルトにより固定されるようになっている。
【００１４】
上記の構成であれば、上弦材５の端面を塞ぐ塞ぎプレート８を上方に延長してその延長部分に母屋９を取り付けるようにしたので、当該塞ぎプレート８が束材としての役割を果たすことになり、別個に束材を設ける必要が無くなり、部品点数を削減することができる。また、上弦材５の中途ではなく端面にて母屋９を支持することができるから、折版１１とタイトフレーム１０との接続箇所から折版１１の水下端までの距離Ａ（図２（ａ）参照）を短くすることができ、強風にて折版１１が煽られるのを極力防止することができる。
【００１５】
図３の斜視図に示す接続構造例では、塞ぎプレート８に取り付ける母屋９を一つとしている。母屋９を一つとする場合には、当該母屋９は塞ぎプレート８の外側面に取り付けることとする。そして、この母屋９の上面においてタイトフレーム１０を溶接によって取り付ける。この接続構造における折版１１とタイトフレーム１０との接続箇所から折版１１の水下端部までの距離Ａ′は、図２に示した距離Ａよりも幾分短いものとなる。
【００１６】
図４の斜視図に示す接続構造例では、塞ぎプレート８′は、上弦材５の端面に取り付けられる面に対して、母屋９が取り付けられる面が屋外側に位置するように、非平板形状を成している。この接続構造における折版１１とタイトフレーム１０との接続箇所から折版１１の水下端部までの距離Ａ″は、図３に示した距離Ａ′よりも更に短いものとなる。
【００１７】
【発明の効果】
以上説明したように、この発明の鋼管端部と屋根下地材との接続構造によれば、屋根下地材をできるだけ折版の水下端側に近い位置に配置することができるので、強風による屋根材の端部の煽りを極力回避することができる。また、塞ぎ部材が束材としての役割を果たすことになり、別個に束材を設ける必要が無くなり、部品点数を削減できるという効果も併せて奏する。
【図面の簡単な説明】
【図１】同図（ａ）はこの発明の実施形態の鋼管端部と屋根下地材との接続構造を示した平面図であり、同図（ｂ）は同側面図である。
【図２】同図（ａ）はこの発明の実施形態の鋼管端部と屋根下地材との接続構造を示した斜視図であり、同図（ｂ）は塞ぎプレートの斜視図である。
【図３】この発明の実施形態の変形例を示した斜視図である。
【図４】この発明の実施形態の他の変形例を示した斜視図である。
【符号の説明】
１    柱
３    取合プレート
５    上弦材（鋼管）
６    斜材
８    塞ぎプレート（塞ぎ部材）
９    母屋（屋根下地材）
１０  タイトフレーム
１１  折版（屋根材）
【図１】
0004493183.tif 000002
【図２】
0004493183.tif 000003
【図３】
0004493183.tif 000004
【図４】
0004493183.tif 000005